(57)【特許請求の範囲】
【請求項１】
行列状に複数の発光体を配置し、行方向に配置した複数の発光体の点灯及び非点灯を行単位で制御するとともに列方向に配置した複数の発光体の点灯及び非点灯を列単位で制御することにより、点灯の指示がなされた行と点灯の指示がなされた列とが重なり合う位置の発光体を点灯させて所定の図柄を表示する表示機器を有する発光式図柄表示装置を備えたパチンコ遊技機において、
前記図柄表示装置の制御対象である発光体に対して図柄制御のための所定信号を伝送する図柄制御基板を備え、
前記図柄制御基板には前記図柄表示装置における表示機器の種類に関係なく共通使用可能な共通制御機器を配設する一方で、前記図柄表示装置には当該図柄表示装置における表示機器に対して専用使用される複数種類の専用制御機器を配設し、前記各種専用制御機器を前記表示機器に対し各々による制御対象が異なるように、かつ前記専用制御機器間での信号の入出力ができないように各別に接続し、前記図柄制御のための所定信号を前記図柄制御基板から前記図柄表示装置に対して６本の信号線を介してシリアル伝送するように構成し、
前記６本の信号線として、
行方向に配列した発光体が接続される第１の専用制御機器が１行に接続されている全ての発光体に点灯を指示する行数分の第１の点灯指示情報からなる第１の図柄制御信号を伝送する第１の図柄制御信号線と、
前記所定の図柄を表示するために点灯させるべき発光体が接続されている行に対応する前記第１の点灯指示情報の読込みを前記第１の専用制御機器に指示する第１の読込指示情報からなる第１の読込信号を、前記第１の図柄制御信号の伝送タイミングに合わせて伝送する第１の読込信号線と、
列方向に配列した発光体が接続される第２の専用制御機器が各行に対して１列に接続されている全ての発光体に点灯を指示する列数分の第２の点灯指示情報からなる第２の図柄制御信号を伝送する第２の図柄制御信号線と、
前記所定の図柄を表示するために点灯させるべき発光体が接続されている列に対応する前記第２の点灯指示情報の読込みを前記第２の専用制御機器に指示する第２の読込指示情報からなる第２の読込信号を、前記第２の図柄制御信号の伝送タイミングに合わせて伝送する第２の読込信号線と、
前記第１，第２の専用制御機器に対し、前記第１，第２の点灯指示情報及び前記第１，第２の読込指示情報をもとに、点灯の指示がなされる行と点灯の指示がなされる列とが重なり合う位置に配置されている点灯させるべき発光体を確定し、前記表示機器に対する図柄の表示態様を確定させるための確定信号を伝送する確定信号線と、
前記第１，第２の専用制御機器に対し、前記第１の専用制御機器が行側から発光体を制御するための全ての情報の無効化を指示するとともに、前記第２の専用制御機器が列側から発光体を制御するための全ての情報の無効化を指示する無効化信号を、前記図柄表示装置に表示させた前記所定の図柄を非表示させる時に伝送する無効化信号線と、を備え、
前記第１の専用制御機器と前記第２の専用制御機器が、前記第１，第２の点灯指示情報、前記第１，第２の読込指示情報及び前記確定信号をもとに１行毎に点灯させるべき発光体を順次確定し、点灯の指示がなされた行と点灯の指示がなされた列とが重なり合う位置の発光体を点灯させることによって前記所定の図柄を表示するパチンコ遊技機。
【請求項２】
前記共通制御機器は、前記図柄表示装置における表示機器の種類が変更された場合、交換することなく継続使用可能な交換不要機器、若しくは、前記図柄制御のための各種制御情報を書き換えることにより再使用可能な再使用機器である請求項１に記載のパチンコ遊技機。
【発明の詳細な説明】
【０００１】
【発明の属する技術分野】
本発明は、配列した複数の発光体を点灯及び非点灯させることにより図柄を表示する表示機器を有する発光式図柄表示装置、又は外周面に図柄を表記した回転体を回転及び停止させることにより図柄を表示する表示機器を有する機械式図柄表示装置を備えたパチンコ遊技機に関するものである。
【０００２】
【従来の技術】
従来からパチンコ遊技機には、複数種類の図柄を複数列（例えば、３列）に表示可能な図柄表示手段（以下、「図柄表示装置」と言う。）が備えられている。その具他的なものとしては、例えば、複数個の発光体（発光ダイオードなど）を行列状（マトリクス状）に配置し、前記図柄を発光表示させる表示機器を備えた図柄表示装置（ドットマトリクス式の図柄表示装置と言われる。）が知られている。そして、このような図柄表示装置では、所定の位置に配置されている単色又は複数色の発光体を点灯／非点灯させるように前記表示機器を制御することにより、数字図柄（０〜９）や文字図柄（又は絵図柄）が発光表示されるようになっている。
【０００３】
以下に、前述したドットマトリクス式の図柄表示装置に対して図柄制御を行うための具体的な構成を図５に基づき説明する。
図５に示すように、パチンコ遊技機には、遊技機における遊技状態を制御するための主制御基板５０が備えられている。また、前記主制御基板５０には、当該基板５０から伝送された各種制御信号に基づき前記図柄表示装置５１に対して図柄制御を行うための図柄制御基板５２が接続されている。
【０００４】
そして、前記主制御基板５０には、遊技機を統括して制御するＣＰＵ（図示しない）や制御に必要な全ての制御情報（例えば、大当りや表示する図柄を決定するための乱数、各図柄の変動パターンなど）を記憶保持したＲＯＭ（図示しない）などが備えられている。また、前記図柄表示装置５１には、図柄表示器（表示機器）５３が備えられており、当該図柄表示器５３は、複数個（図５では６４個とする。）の発光体Ｌを行列状（図５では８行×８列とする。）に配置して構成されている。
【０００５】
そして、前記図柄制御基板５２には、前記主制御基板５０から受けた各種制御信号に基づき前記図柄制御のための各種情報を演算処理するＣＰＵ５４が備えられている。また、前記ＣＰＵ５４と前記主制御基板５０との間には入力ポート５５が配設されており、前記ＣＰＵ５４は前記各種制御信号を前記入力ポート５５を介して入力するようになっている。さらに、前記ＣＰＵ５４には、前記演算処理を行うための各種制御プログラムなどを記憶保持したＲＯＭ５６と、演算した各種情報などを記憶保持するためのＲＡＭ５７が接続されている。また、前記ＣＰＵ５４には、演算処理された各種情報に基づいて前記図柄表示器５３を制御するための第１の制御部（コモンドライバー）５８及び第２の制御部（セグメントドライバー）５９が各々８本の伝送線を介して接続されている。
【０００６】
また、前記第１の制御部５８は、前記図柄表示器５３において行側（８行）に配置されている発光体Ｌの点灯／非点灯を、前記第２の制御部５９は、列側（８列）に配置されている発光体Ｌの点灯／非点灯を制御するようになっている。即ち、ドットマトリクス式の図柄表示装置５１では、行と列との関係により点灯／非点灯する発光体Ｌを特定し、その特定された発光体Ｌの点灯により図柄を発光表示させている。そして、前記第１の制御部５８及び第２の制御部５９は、コネクタ６０を介して各々８本の伝送線によって前記図柄表示器５３に接続されている。なお、前記各制御部５８，５９と前記コネクタ６０とを接続するための各伝送線には、電流制限用の抵抗（図示しない）が配設されている。
【０００７】
従って、図柄制御基板５２は、主制御基板５０から受けた各種制御信号を図柄制御のための各種情報に演算処理し、該情報を所定信号として前記第１，第２の制御部５８，５９に対し伝送する。そして、前記第１，第２の制御部５８，５９は、前記所定信号を構成する各種情報に基づいて前記図柄表示器５３を制御し、当該表示器５３には、所定の図柄が発光表示されるようになっている。
【０００８】
このとき、前記第１の制御部５８は、前記図柄表示器５３を構成する８行の発光体Ｌを制御するようになっている。また、前記第２の制御部５９も同様に、前記図柄表示器５３を構成する８列の発光体Ｌを制御するようになっている。即ち、第１，第２の制御部５８，５９は、各々８本の伝送線を使用して前記図柄表示器５３に対し前記所定信号を伝送している。そのため、前記図柄制御基板５２は、図柄表示器５３を高速処理することが可能となり、高度な図柄制御を実現することができる。
【０００９】
【発明が解決しようとする課題】
しかしながら、従来のパチンコ遊技機では、前記図柄制御基板５２側に前記図柄表示装置５１を制御するためのＣＰＵ５４、ＲＯＭ５６、ＲＡＭ５７及び第１，第２の制御部５８，５９などが配設されている。その一方で、前記図柄表示装置５１側には、前記所定信号を構成する各種情報によって制御される図柄表示器５３を配設する形態となっている。また、従来のパチンコ遊技機では、前述のように、前記図柄制御基板５２（第１，第２の制御部５８，５９）と図柄表示装置５１（図柄表示器５３）との間において、前記所定信号を伝送する形態となっている。
【００１０】
そのため、前述のように、図柄表示器５３を８行×８列に配置した６４個の発光体Ｌで構成した場合には、各制御部５８，５９では各々８本の伝送線が必要となることから、図柄制御基板５２と図柄表示装置５１は１６本の伝送線を介して接続されることになる。また、例えば、１９２個の発光体Ｌを８行×２４列で配置した図柄表示器５３であれば、図柄表示装置５１と図柄制御基板５２とは３２本の伝送線を介して接続されることになる。従って、パチンコ遊技機の組み付け時には膨大な本数の伝送線を扱うことになるため、組み付け性の低下やコスト高の要因となっていた。
【００１１】
この発明は、このような従来の技術に存在する問題点に着目してなされたものであり、その目的は、高度な図柄制御を維持しつつ、図柄制御基板と図柄表示装置とを接続するための伝送線の本数を削減することにより組み付け性の向上やコスト削減に貢献することができるパチンコ遊技機を提供することにある。
【００１２】
【課題を解決するための手段】
上記問題点を解決するために、請求項１に記載の発明は、行列状に複数の発光体を配置し、行方向に配置した複数の発光体の点灯及び非点灯を行単位で制御するとともに列方向に配置した複数の発光体の点灯及び非点灯を列単位で制御することにより、点灯の指示がなされた行と点灯の指示がなされた列とが重なり合う位置の発光体を点灯させて所定の図柄を表示する表示機器を有する発光式図柄表示装置を備えたパチンコ遊技機において、前記図柄表示装置の制御対象である発光体に対して図柄制御のための所定信号を伝送する図柄制御基板を備え、前記図柄制御基板には前記図柄表示装置における表示機器の種類に関係なく共通使用可能な共通制御機器を配設する一方で、前記図柄表示装置には当該図柄表示装置における表示機器に対して専用使用される複数種類の専用制御機器を配設し、前記各種専用制御機器を前記表示機器に対し各々による制御対象が異なるように、かつ前記専用制御機器間での信号の入出力ができないように各別に接続し、前記図柄制御のための所定信号を前記図柄制御基板から前記図柄表示装置に対して６本の信号線を介してシリアル伝送するように構成し、前記６本の信号線として、行方向に配列した発光体が接続される第１の専用制御機器が１行に接続されている全ての発光体に点灯を指示する行数分の第１の点灯指示情報からなる第１の図柄制御信号を伝送する第１の図柄制御信号線と、前記所定の図柄を表示するために点灯させるべき発光体が接続されている行に対応する前記第１の点灯指示情報の読込みを前記第１の専用制御機器に指示する第１の読込指示情報からなる第１の読込信号を、前記第１の図柄制御信号の伝送タイミングに合わせて伝送する第１の読込信号線と、列方向に配列した発光体が接続される第２の専用制御機器が各行に対して１列に接続されている全ての発光体に点灯を指示する列数分の第２の点灯指示情報からなる第２の図柄制御信号を伝送する第２の図柄制御信号線と、前記所定の図柄を表示するために点灯させるべき発光体が接続されている列に対応する前記第２の点灯指示情報の読込みを前記第２の専用制御機器に指示する第２の読込指示情報からなる第２の読込信号を、前記第２の図柄制御信号の伝送タイミングに合わせて伝送する第２の読込信号線と、前記第１，第２の専用制御機器に対し、前記第１，第２の点灯指示情報及び前記第１，第２の読込指示情報をもとに、点灯の指示がなされる行と点灯の指示がなされる列とが重なり合う位置に配置されている点灯させるべき発光体を確定し、前記表示機器に対する図柄の表示態様を確定させるための確定信号を伝送する確定信号線と、前記第１，第２の専用制御機器に対し、前記第１の専用制御機器が行側から発光体を制御するための全ての情報の無効化を指示するとともに、前記第２の専用制御機器が列側から発光体を制御するための全ての情報の無効化を指示する無効化信号を、前記図柄表示装置に表示させた前記所定の図柄を非表示させる時に伝送する無効化信号線と、を備え、前記第１の専用制御機器と前記第２の専用制御機器が、前記第１，第２の点灯指示情報、前記第１，第２の読込指示情報及び前記確定信号をもとに１行毎に点灯させるべき発光体を順次確定し、点灯の指示がなされた行と点灯の指示がなされた列とが重なり合う位置の発光体を点灯させることによって前記所定の図柄を表示することを要旨とする。
【００１３】
請求項２に記載の発明は、請求項１に記載のパチンコ遊技機において、前記共通制御機器は、前記図柄表示装置における表示機器の種類が変更された場合、交換することなく継続使用可能な交換不要機器、若しくは、前記図柄制御のための各種制御情報を書き換えることにより再使用可能な再使用機器であることを要旨とする。
【００１８】
【発明の実施の形態】
以下、本発明に係るパチンコ遊技機（以下、「遊技機」という。）を具体化した一実施形態を図１〜図４に基づき説明する。
【００１９】
図１に略示するように、遊技機１０において機体の外郭をなす外枠１１の開口前面側には、各種の遊技用構成部材をセットする縦長方形の中枠１２が開閉及び着脱自在に組み付けられている。そして、前記中枠１２の前面側には、機内部に配置された遊技盤１３を透視保護するためのガラス枠を備えた前枠１４と上球皿１５が共に横開き状態で開閉可能に組み付け整合されている。さらに、前記中枠１２の下部には下球皿１６、打球発射装置１７等が装着されている。また、前記遊技盤１３の遊技領域の略中央には、各種遊技状態（大当り状態、リーチ状態、はずれ状態など）を決定するために図柄を変動させて図柄組み合わせゲームを行う図柄表示手段としての図柄表示装置１８が配設されている。
【００２０】
ここで、前記図柄表示装置１８の具体的構成について図２に基づき説明する。前記図柄表示装置１８には、図２で示すように複数列（本実施形態では、３列）の第１図柄１９、第２図柄２０及び第３図柄２１を各列毎に発光表示する表示機器としての図柄表示器Ｈが備えられている。なお、「表示」とは、前記図柄表示器Ｈにおいて遊技者が図柄を識別できる状態で前記図柄が停止していることであり、「停止」には、所謂、ゆれ変動と言われる一旦停止状態と完全に停止した確定停止状態の何れの状態も含まれている。
【００２１】
そして、前記図柄表示器Ｈは、複数個（本実施形態では６４個）の発光体Ｌ（例えば、発光ダイオード）を行列状（マトリクス状）に、例えば、８行×８列に配置して構成されている。また、前記図柄表示器Ｈには、単色（例えば、赤色のみ）、若しくは、複数色（例えば、赤色、青色、緑色の三色）の発光体Ｌが使用されている。そして、このように構成された前記図柄表示器Ｈでは、所定の位置に配置された前記発光体Ｌを点灯／非点灯させるように前記図柄表示器Ｈを制御することにより、数字図柄（０〜９など）や文字図柄（又は絵図柄）が発光表示されるようになっている。即ち、本実施形態の図柄表示装置１８は、所謂、ドットマトリクス式の図柄表示装置１８とされている。なお、図２には、前記第１図柄１９〜第３図柄２１として図柄「７」が前記図柄表示器Ｈに発光表示された様子が示されている。
【００２２】
そして、前記遊技機１０では、前記図柄表示装置１８（図柄表示器Ｈ）に発光表示された第１〜第３図柄１９〜２１の組み合わせの態様から大当り状態、リーチ状態、若しくは、はずれ状態の何れかの遊技状態が認識できるようになっている。例えば、図２に示すように、前記図柄表示器Ｈに第１〜第３図柄１９〜２１が同一の図柄（「７」）で表示された場合には、その組み合わせの態様から大当り状態を認識することができる。
【００２３】
また、前記遊技機１０の機裏側には、遊技内容を統括して制御する主制御基板（以下、「主基板」という。）２４が装着されている（図１に点線で示す。）。そして、前記主基板２４には、当該主基板２４からの各種制御信号を受けて、図柄制御のための各種情報を演算し、該情報を所定信号として図柄表示装置１８に伝送処理する図柄制御手段としての図柄制御基板（以下、「図柄基板」という。）２５が接続されている（図１に点線で示す。）。即ち、前記図柄基板２５は、前記図柄表示装置１８（図柄表示器Ｈ）に対し前記所定信号を伝送して図柄制御を行うことで、前記図柄表示器Ｈでは、図柄組み合わせゲームによって前記第１〜第３図柄１９〜２１が各列毎に表示されるようになっている。
【００２４】
次に、前記主基板２４、図柄基板２５及び図柄表示装置１８の具体的な構成について図３に基づき詳細に説明する。
前記主基板２４には、遊技機１０を統括して制御するＣＰＵ（図示しない）及び遊技機１０の制御に必要な全ての制御情報（例えば、遊技状態を決定するための各種乱数や各図柄の変動パターン）を記憶保持したＲＯＭ（図示しない）などが備えられている。
【００２５】
なお、「各種乱数」とは、その乱数から抽出された数値に基づき遊技機１０の遊技状態、第１〜第３図柄１９〜２１として表示する図柄（確定停止図柄）、及び、各図柄の変動パターンなどを決定するものである。そして、前記主基板２４には、前記乱数として大当り判定用乱数、大当り図柄乱数、各はずれ図柄乱数、リーチ判定用乱数、変動パターン振分け乱数などが記憶保持されている。また、「変動パターン」とは、図柄表示器Ｈにおいて、図柄の変動表示を開始してから、前記第１〜第３図柄１９〜２１が表示されるまでの間において、前記変動パターン毎に予め定められた変動時間内における図柄の動作パターンを示したものである。即ち、変動パターンは、前記図柄表示装置１８で行われる演出に相当するものであって、例えば、リーチ状態となった時に特定の図柄をコマ送り、高速送り、若しくは、キャラクタを動作させるなど図柄の動作パターンが示されている。
【００２６】
従って、前記図柄組み合わせゲームは、前述した各種乱数の抽出値によって決定される遊技状態、第１〜第３図柄１９〜２１及び変動パターンなどに基づいて行われるようになっている。そして、前記主基板２４は、前記図柄基板２５に対し前記図柄組み合わせゲームを行うための図柄制御を指示する前記各種制御信号を伝送するようになっている。なお、前記主基板２４から伝送される制御信号としては、例えば、図柄の変動表示の開始及び変動パターンを指示する変動開始コマンド、第１〜第３図柄１９〜２１の確定停止図柄を各列毎に指示する図柄指定コマンド及び第１〜第３図柄１９〜２１を確定停止させる全図柄停止コマンドとなっている。
【００２７】
一方、前記図柄基板２５には、前記主基板２４から受けた各種制御信号を前記図柄制御のための各種情報を演算処理する処理部を構成するＣＰＵ３０が備えられている。また、前記ＣＰＵ３０と主基板２４との間には入力ポート３１が配設されており、前記ＣＰＵ３０は前記各種制御信号を前記入力ポート３１を介して入力するようになっている。さらに、前記ＣＰＵ３０には、記憶部を構成するＲＯＭ３２及びＲＡＭ３３が接続されている。そして、前記ＲＯＭ３２には、前記演算処理を行うための各種制御プログラムなどの制御情報が記憶保持されている。また、前記ＲＡＭ３３には、前記入力ポート３１を介して入力した前記各種制御信号（各コマンド）や演算処理された各種情報などが記憶保持されるようになっている。
【００２８】
そして、前記ＣＰＵ３０は、前記主基板２４から前記各コマンドなどの制御信号を入力すると、前記ＲＯＭ３２に記憶保持された各種制御プログラムに基づき前記図柄制御のための各種情報を演算処理するようになっている。また、前記ＣＰＵ３０には、演算処理された各種情報を所定信号として前記図柄表示装置１８に伝送するための処理部を構成するシリアルポート３４が接続されている。そして、前記ＣＰＵ３０は、前記シリアルポート３４を通じて、前記図柄基板２５と前記図柄表示装置１８との間に配設されている複数本（本実施形態では６本）の伝送線としての信号線３５から前記所定信号を図柄表示装置１８に対してシリアル伝送するようになっている。
【００２９】
一方、前記図柄表示装置１８には、前記図柄基板２５から伝送された前記所定信号を入力すると共に、前記図柄表示装置１８に配設された各種機器（例えば、図柄表示器Ｈを制御する第１，第２の制御部３７，３８）を情報伝送阻害要因から保護するための保護機器（バッファ）３６が設けられている。なお、「情報伝送阻害要因」とは、前記図柄基板２５側で発生したノイズである。そして、前記保護機器３６は、前記図柄基板２５側でノイズが発生した場合に図柄表示装置１８側に流れ込む過電流を受け止めており、当該過電流から前記各機器を保護するようになっている。従って、前記図柄表示装置１８（図柄表示器Ｈ、第１，第２の制御部３７，３８など）が破壊されることを抑制することができる。
【００３０】
また、前記保護機器３６には、前記図柄表示器Ｈを構成する前記発光体Ｌの点灯／非点灯を制御するための第１の制御部（コモンドライバー）３７及び第２の制御部（セグメントドライバー）３８が接続されている。そして、前記第１の制御部３７は、前記図柄表示器Ｈにおいて、行側（８行）に配置されている発光体Ｌの点灯／非点灯を制御するようになっている。一方、前記第２の制御部３８は、前記図柄表示器Ｈにおいて、列側（８列）に配置されている発光体Ｌの点灯／非点灯を制御するようになっている。また、本実施形態においては、前記第１の制御部３７及び第２の制御部３８により前記図柄表示器Ｈの点灯／非点灯を制御する制御部が構成されている。
【００３１】
そして、前記第１，第２の制御部３７，３８は、前記図柄表示器Ｈに対し各々による制御対象が異なるように各別に接続されている。
なお、「制御対象」とは、図柄表示器Ｈにおいて前記各制御部３７，３８によって制御される対象（主体）となるものである。そして、前述したドットマトリクス式の図柄表示装置１８の場合、第１の制御部３７は行側に配置されている発光体Ｌを制御対象（第１の制御対象）とし、第２の制御部３８は列側に配置されている発光体Ｌを制御対象（第２の制御対象）としている。即ち、第１の制御部３７と第２の制御部３８は、異種の制御対象を制御していることから異種の制御部（複数種類の専用制御機器）として位置付けることができる。また、「各別に接続される」とは、前記第１，第２の制御部３７，３８が独立しており、両制御部３７，３８間において信号の入出力が出来ない状態で図柄表示器Ｈに対して接続されていることを言う。
【００３２】
そして、前記第１の制御部３７は、前記図柄基板２５から伝送された前記所定信号を構成する情報に基づき前記発光体Ｌを行単位で制御するようになっている。即ち、前記第１の制御部３７と前記図柄表示器Ｈとは、８本の信号線ＣＯＭ１〜ＣＯＭ８によって接続されている。そして、前記第１の制御部３７は、前記所定信号を構成する情報に基づいて、各行毎に点灯／非点灯を制御すると共に、各行を構成する全ての発光体Ｌ（各８個）を同時に並行して制御するようになっている。
【００３３】
また、前記第１の制御部３７と図柄表示器Ｈとの間であって、前記各信号線ＣＯＭ１〜ＣＯＭ８には、増幅機器（トランジスタ）３９が接続されている。そして、前記増幅機器３９は、前記第１の制御部３７から出力された所定信号に対応する情報伝送媒体（電流）の出力を増幅させるようになっている。
【００３４】
従って、第１の制御部３７から出力された所定信号は、前記増幅機器３９によって増幅されることにより、図柄表示器Ｈに対して正確な図柄制御を実現できる。なお、前記増幅機器３９は、出力が弱い第１，第２の制御部３７，３８に対して接続されていれば良く、前記第２の制御部３８側に接続されたり、若しくは、前記両制御部３７，３８に接続されていても良い。
【００３５】
また、前記第２の制御部３８は、前記図柄基板２５から伝送された前記所定信号を構成する情報に基づき前記発光体Ｌを列単位で制御するようになっている。即ち、前記第２の制御部３８と前記図柄表示器Ｈとは、８本の信号線ＳＥＧ１〜ＳＥＧ８によって接続されている。そして、前記第２の制御部３８は、前記所定信号を構成する情報に基づいて、各列毎に点灯／非点灯を制御すると共に、各列を構成する全ての発光体Ｌ（各８個）を同時に並行して制御するようになっている。
【００３６】
従って、このように構成されたドットマトリクス式の図柄表示装置１８では、前記各制御部３７，３８によって点灯／非点灯が制御された行と列との関係により点灯する発光体Ｌが特定されるようになっている。そして、その特定された発光体Ｌが点灯することにより、前記図柄表示器Ｈには前記第１〜第３図柄１９〜２１が発光表示されるようになっている。例えば、図３に示した図柄表示器Ｈにおいて、発光体Ｌ１を点灯させる場合、第１の制御部３７が信号線ＣＯＭ１に接続された発光体Ｌの点灯を指示すると共に、第２の制御部３８が信号線ＳＥＧ８に接続された発光体Ｌの点灯を指示するようになっている。その結果、前記信号線ＣＯＭ１と信号線ＳＥＧ８とが重なりあう位置（座標）に接続されている発光体Ｌ１が点灯するようになっている。
【００３７】
次に、前記図柄基板２５と図柄表示装置１８とを接続するための前記信号線３５の種類、及び、前記信号線３５を介して伝送された所定信号を構成する情報に基づき図柄表示器Ｈが制御される態様を具体的に説明する。
【００３８】
前記図柄基板２５のＣＰＵ３０は、前記主基板２４からの各種制御信号（各コマンド）を受けて、当該制御信号を図柄制御のための各種情報を演算処理し、当該情報を所定信号として前記図柄表示装置１８に対して伝送するようになっている。即ち、前記ＣＰＵ３０では、前記図柄指定コマンドによって指示された図柄を前記図柄表示器Ｈに表示させるべく以下に説明する所定信号を前記図柄表示装置１８に対し伝送するようになっている。
【００３９】
前記ＣＰＵ３０は、前記第１の制御部３７が各行（信号線ＣＯＭ１〜ＣＯＭ８）に接続されている発光体Ｌを制御するための第１の図柄制御信号（以下、「ＦＬＭ信号」という。）を伝送するようになっている。そして、前記ＦＬＭ信号は、各行に接続されている全ての発光体Ｌに点灯を指示するための情報から構成された信号となっている。即ち、前記ＦＬＭ信号は、第１の制御部３７が各信号線ＣＯＭ１〜ＣＯＭ８に対して各行別に点灯を指示する８個の情報から構成されており、これらの情報はＣＰＵ３０において演算処理されている。より具体的に言えば、前記ＦＬＭ信号は、信号線ＣＯＭ１に対する情報、信号線ＣＯＭ２に対する情報、信号線ＣＯＭ３に対する情報、信号線ＣＯＭ４に対する情報、信号線ＣＯＭ５に対する情報、信号線ＣＯＭ６に対する情報、信号線ＣＯＭ７に対する情報、及び、信号線ＣＯＭ８に対する情報から構成されている。
【００４０】
そして、前記ＣＰＵ３０は、信号線ＣＯＭ１に対する情報→信号線ＣＯＭ２に対する情報→・・・→信号線ＣＯＭ７に対する情報→信号線ＣＯＭ８に対する情報という順番でＦＬＭ信号として伝送するようになっている。このとき、前記ＣＰＵ３０は、ＦＬＭ信号を、前記図柄基板２５（シリアルポート３４）と図柄表示装置１８（保護機器３６）とを接続する第１の図柄制御信号伝送線としてのＦＬＭ用信号線を介して伝送するようになっている。
【００４１】
また、前記ＣＰＵ３０は、前記第１の制御部３７に対し、前記ＦＬＭ用信号線を通じて伝送した前記ＦＬＭ信号の読込みを指示する第１の読込信号（以下、「ＦＣＫ信号」という。）を伝送するようになっている。そして、前記ＦＣＫ信号は、各行に接続されている全ての発光体Ｌのうち、実際に点灯を指示する行に対する情報を前記第１の制御部３７に読込ませるための情報から構成された信号となっている。即ち、前記ＦＣＫ信号は、ＩＮＴ信号、若しくは、ストローブ信号に相当している。
【００４２】
そして、前記ＣＰＵ３０は、前記ＦＬＭ信号の伝送タイミングに併せて、前記ＦＣＫ信号を第１の制御部３７に対し伝送するようになっている。このとき、前記ＣＰＵ３０は、前記ＦＣＫ信号を、前記図柄基板２５（シリアルポート３４）と図柄表示装置１８（保護機器３６）とを接続する第１の読込信号伝送線としてのＦＣＫ用信号線を介して伝送するようになっている。
【００４３】
そして、前記第１の制御部３７では、ＦＬＭ用信号線を介して伝送された前記ＦＬＭ信号を構成する信号線ＣＯＭ１〜ＣＯＭ８に対応する情報を前記各信号線ＣＯＭ１〜ＣＯＭ８に伝送する。また、第１の制御部３７は、実際に点灯させる発光体Ｌを含む信号線ＣＯＭ１〜ＣＯＭ８に対してのみに前記ＦＣＫ用信号線を介して伝送されたＦＣＫ信号を構成する情報を伝送する。その結果、図柄表示器Ｈでは、前記点灯を指示する情報と共に読込みを指示する情報が伝送された行（信号線ＣＯＭ１〜ＣＯＭ８）を構成する発光体Ｌの制御が行われるようになっている。
【００４４】
また、前記ＣＰＵ３０は、前記第２の制御部３８が各列（信号線ＳＥＧ１〜ＳＥＧ８）に接続されている発光体Ｌを制御するための第２の図柄制御信号（以下、「ＳＩＤ信号」という。）を伝送するようになっている。そして、前記ＳＩＤ信号は、各列に接続されている全ての発光体Ｌに点灯を指示するための情報から構成された信号となっている。即ち、前記ＳＩＤ信号は、第２の制御部３８が各信号線ＳＥＧ１〜ＳＥＧ８に対して各列別に点灯を指示する情報から構成されており、これらの情報はＣＰＵ３０において演算処理されている。
【００４５】
ここで、ＳＩＤ信号を構成する情報を具体的に説明すると、図柄表示器Ｈでは、第１の制御部３７が１本の信号線ＣＯＭ１に接続された全ての発光体Ｌの制御を行う際に、第２の制御部３８が８本の信号線ＳＥＧ１〜ＳＥＧ８に接続された発光体Ｌの制御を行う態様となっている。即ち、前記図柄表示器Ｈでは、１行毎（信号線ＣＯＭ１〜ＣＯＭ８毎）に点灯する発光体Ｌの位置が特定されるようになっている。そのため、１本の信号線ＣＯＭ１に接続された発光体Ｌの点灯を指示する１個の情報に対して、８本の信号線ＳＥＧ１〜ＳＥＧ８に接続された発光体Ｌの点灯を指示する８個の情報が必要となっている。従って、ＣＰＵ３０は、前記第２の制御部３８が各信号線ＳＥＧ１〜ＳＥＧ８に対して各列別に点灯を指示する６４個（８行×８列）の情報を演算処理し、該情報をＳＩＤ信号として伝送するようになっている。即ち、ＣＰＵ３０では、信号線ＣＯＭ１に対する情報に対応して、信号線ＳＥＧ１に対する情報、信号線ＳＥＧ２に対する情報、・・・、信号線ＳＥＧ７に対する情報、及び、信号線ＳＥＧ８に対する情報が演算処理されている。また、同様に、ＣＰＵ３０では、信号線ＣＯＭ２〜ＣＯＭ８に各別に対応して、信号線ＳＥＧ１〜ＳＥＧ８に対する情報が演算処理されている。
【００４６】
そして、前記ＣＰＵ３０は、信号線ＣＯＭ１に対応する信号線ＳＥＧ１〜ＳＥＧ８に対する情報→信号線ＣＯＭ２に対応する信号線ＳＥＧ１〜ＳＥＧ８に対する情報→・・・という順番でＳＩＤ信号として伝送するようになっている。このとき、前記ＣＰＵ３０は、ＳＩＤ信号を、前記図柄基板２５（シリアルポート３４）と図柄表示装置１８（保護機器３６）とを接続する第２の図柄制御信号伝送線としてのＳＩＤ用信号線を介して伝送するようになっている。
【００４７】
また、前記ＣＰＵ３０は、前記第２の制御部３８に対し、前記ＳＩＤ用信号線を通じて伝送した前記ＳＩＤ信号の読込みを指示する第２の読込信号（以下、「ＳＣＫ信号」という。）を伝送するようになっている。そして、前記ＳＣＫ信号は、各列に接続されている全ての発光体Ｌのうち、実際に点灯を指示する列に対する情報を前記第２の制御部３８に読込ませるための情報から構成された信号となっている。即ち、前記ＳＣＫ信号は、ＩＮＴ信号、若しくは、ストローブ信号に相当している。
【００４８】
そして、前記ＣＰＵ３０は、前記ＳＩＤ信号の伝送タイミングに併せて、前記ＳＣＫ信号を第２の制御部３８に対し伝送するようになっている。このとき、前記ＣＰＵ３０は、前記ＳＣＫ信号を、前記図柄基板２５（シリアルポート３４）と図柄表示装置１８（保護機器３６）とを接続する第２の読込信号伝送線としてのＳＣＫ用信号線を介して伝送するようになっている。
【００４９】
そして、前記第２の制御部３８では、ＳＩＤ用信号線を介して伝送された前記ＳＩＤ信号を構成する信号線ＳＥＧ１〜ＳＥＧ８に対応する情報を前記各信号線ＳＥＧ１〜ＳＥＧ８に伝送する。また、第２の制御部３８は、実際に点灯させる発光体Ｌを含む信号線ＳＥＧ１〜ＳＥＧ８に対してのみに前記ＳＣＫ用信号線を介して伝送されたＳＣＫ信号を構成する情報を伝送する。その結果、図柄表示器Ｈでは、前記点灯を指示する情報と共に読込みを指示する情報が伝送された列（信号線ＳＥＧ１〜ＳＥＧ８）を構成する発光体Ｌの制御が行われるようになっている。
【００５０】
また、前記ＣＰＵ３０は、ＦＬＭ信号とＦＣＫ信号、及び、ＳＩＤ信号とＳＣＫ信号を構成する各情報から得ることができる前記図柄表示器Ｈに対する図柄の表示態様を確定する確定信号（以下、「ＤＬＴ信号」という。）を伝送するようになっている。即ち、前記ＤＬＴ信号は、ＦＬＭ信号とＦＣＫ信号、及び、ＳＩＤ信号とＳＣＫ信号により実際に点灯が指示された発光体Ｌを確定するための情報から構成された信号となっている。なお、前記ＤＬＴ信号は、ラッチ信号に相当している。
【００５１】
そして、ＣＰＵ３０は、ＤＬＴ信号を第１の制御部３７及び第２の制御部３８に対し、同一の信号線を介して伝送するようになっている。即ち、前記ＣＰＵ３０は、前記ＤＬＴ信号を、前記図柄基板２５（シリアルポート３４）と図柄表示装置１８（保護機器３６）とを接続する確定信号伝送線としてのＤＬＴ用信号線を介して伝送するようになっている。そのため、前記ＤＬＴ用信号線は、第１の制御部３７及び第２の制御部３８に対してＤＬＴ信号を伝送するために共用化されている。従って、前記各制御部３７，３８に対して前記ＤＬＴ信号を伝送するためのＤＬＴ用信号線を設ける必要がなく、信号線３５の本数を削減することができる。なお、「図柄表示器Ｈに対する図柄の表示態様」とは、図柄表示器Ｈに表示される図柄の種類を示しており、ドットマトリクス式の図柄表示装置１８においては、点灯する発光体Ｌの位置によって表示する図柄の種類が決定される。
【００５２】
また、前記ＣＰＵ３０は、前記図柄の表示態様に対応するＦＬＭ信号及びＳＩＤ信号を無効化するための無効化信号（以下、「ＥＮＢ信号」という。）を伝送するようになっている。そして、前記ＥＮＢ信号は、第１の制御部３７が読込んだＦＬＭ信号及び第２の制御部３８が読込んだＳＩＤ信号を消去し、図柄表示器Ｈに表示された図柄を強制的に非表示させるための情報から構成された信号となっている。即ち、ＥＮＢ信号は、第１，第２の制御部３７，３８に残存しているＦＬＭ信号及びＳＩＤ信号を構成する各情報によって図柄表示器Ｈの制御に影響を与える阻害要因を排除している。従って、ドットマトリクス式の図柄表示装置１８の場合には、発光体Ｌの点灯／非点灯が速やかに行われることになり、所謂、「ちらつき」を抑制することができる。
【００５３】
そして、前記ＣＰＵ３０は、前記ＥＮＢ信号を第１の制御部３７及び第２の制御部３８に対し、同一の信号線を介して伝送するようになっている。即ち、前記ＣＰＵ３０は、前記ＥＮＢ信号を、前記図柄基板２５（シリアルポート３４）と図柄表示装置１８（保護機器３６）とを接続する無効化信号伝送線としてのＥＮＢ用信号線を介して伝送するようになっている。そのため、前記ＥＮＢ用信号線は、第１，第２の制御部３７〜４０に対してＥＮＢ信号を伝送するために共用化されている。従って、前記各制御部３７，３８に対して前記ＥＮＢ信号を伝送するためのＥＮＢ用信号線を設ける必要が無く、信号線３５の本数を削減することができる。
【００５４】
そして、前記図柄表示器Ｈは、前記ＣＰＵ３０から伝送される前記各信号に基づき制御されるようになっている。
即ち、前記ＣＰＵ３０は、最初に、前記第２の制御部３８に対して前記ＳＩＤ用信号線を介してＳＩＤ信号を伝送する。このとき、ＳＩＤ信号を構成する情報は、前述のように、信号線ＣＯＭ１に対応する信号線ＳＥＧ１〜ＳＥＧ８に対する情報から順に伝送される。また、前記ＣＰＵ３０は、前記ＳＩＤ信号の伝送タイミングに併せて、前記第２の制御部３８に対してＳＣＫ用信号線を介してＳＣＫ信号を伝送する。その結果、前記第２の制御部３８では、ＳＣＫ信号が入力される毎に、前記ＳＩＤ信号を構成する各信号線ＳＥＧ１〜ＳＥＧ８に接続された発光体Ｌを制御するための情報が読込まれる。
【００５５】
次に、前記ＣＰＵ３０は、前記第１の制御部３７に対してＦＬＭ用信号線を介してＦＬＭ信号を伝送する。このとき、ＦＬＭ信号を構成する情報は、前述のように、信号線ＣＯＭ１に対する情報から順に伝送される。また、前記ＣＰＵ３０は、前記ＦＬＭ信号の伝送タイミングに併せて、前記第１の制御部３７に対してＦＣＫ用信号線を介してＦＣＫ信号を伝送する。その結果、前記第１の制御部３７では、ＦＣＫ信号の入力によって信号線ＣＯＭ１に接続された発光体Ｌを制御するための情報が読込まれる。
【００５６】
次に、前記ＣＰＵ３０は、ＤＬＴ用信号線を介して第１の制御部３７及び第２の制御部３８に対してＤＬＴ信号を伝送する。その結果、ＦＬＭ信号とＦＣＫ信号、及び、ＳＩＤ信号とＳＣＫ信号により実際に点灯が指示された発光体Ｌの位置が特定され、前記信号線ＣＯＭ１に接続された発光体Ｌおいて図柄表示器Ｈに対する図柄の表示態様が確定される。
【００５７】
また、ＳＩＤ用信号線では、信号線ＣＯＭ２に対応する信号線ＳＥＧ１〜ＳＥＧ８に対する情報が、ＦＬＭ用信号線では信号線ＣＯＭ２に対する情報が各々伝送される。そして、ＤＬＴ信号によって、前記信号線ＣＯＭ２に接続された発光体Ｌにおいて図柄表示器Ｈに対する図柄の表示態様が確定される。以下、同様に、信号線ＣＯＭ３〜ＣＯＭ８に各々接続された発光体Ｌおいて図柄表示器Ｈに対する図柄の表示態様が確定すると、前記図柄表示器Ｈでは所定の図柄が発光表示されるようになっている。その後、前記ＣＰＵ３０は、前記第１，第２の制御部３７，３８に対しＥＮＢ用信号線を介してＥＮＢ信号を伝送することにより、図柄表示器Ｈに表示された図柄が非表示される。
【００５８】
そして、本実施形態では、前記図柄基板２５側に前記図柄表示器Ｈの種類に関係なく共通使用可能なＣＰＵ３０、入力ポート３１、ＲＯＭ３２、ＲＡＭ３３及びシリアルポート３４などの共通制御機器が配設されている。一方で、前記図柄表示装置１８側には、図柄表示器Ｈに対して専用使用される第１の制御部３７及び第２の制御部３８などの専用制御機器が配設されている。
【００５９】
その結果、図柄基板２５と図柄表示装置１８とは、前記シリアルポート３４と保護機器３６との間において６本の信号線３５（ＦＬＭ用信号線、ＦＣＫ用信号線、ＳＩＤ用信号線、ＳＣＫ用信号線、ＤＬＴ用信号線、ＥＮＢ用信号線）を介して接続することができる。即ち、前記第１，第２の制御部３７，３８が図柄基板２５側に配設されている場合（従来の技術）には、図柄表示器Ｈを構成する発光体Ｌの行数及び列数に応じた本数の信号線によって前記図柄基板２５と図柄表示装置１８は接続されることになる。例えば、８行×８列の図柄表示器Ｈの場合には、第１の制御部３７には信号線ＣＯＭ１〜ＣＯＭ８が、第２の制御部３８には信号線ＳＥＧ１〜ＳＥＧ８が必要となる。そのため、前記図柄基板２５と図柄表示装置１８は１６本の信号線によって接続されることになる。
【００６０】
これに対し、本実施形態のように、第１，第２の制御部３７，３８を図柄表示装置１８側に配設した場合には、前述のように６本の信号線３５によって図柄基板２５と図柄表示装置１８を接続することができる。従って、信号線３５の本数を削減することができ、遊技機１０の組み付け性の向上やコスト削減に貢献することができる。
【００６１】
次に、本実施形態における前記図柄基板２５と図柄表示装置１８の構成についてさらに詳細に説明する。
即ち、本実施形態の図柄基板２５及び図柄表示装置１８には、遊技機１０の機種変更時に図柄表示器Ｈの種類が変更された場合でもゴミの現出を抑制できるように前記共通制御機器と専用制御機器を区分けして配設している。
【００６２】
ここで、前記図柄表示器Ｈの種類の変更態様を説明する。
図柄表示器Ｈとしては、前述したドットマトリクス式の図柄表示装置１８の他に、７セグメント式の図柄表示装置や機械式（ドラム式又はベルト式）の図柄表示装置などが広く知られている。因みに、前者の７セグメント式の図柄表示装置では、１列の図柄が７個の発光体（発光ダイオード）を「８」の字状に配置して構成されている。そして、１列の図柄を表示する際に所定の位置に配置されている発光体を点灯／非点灯させることにより数字図柄や文字図柄を発光表示させるように構成されたものである。また、後者の機械式の図柄表示装置は、ドラム式又はベルト式をなす図柄表示部に予め複数種類の図柄を表示しておき、前記図柄表示部をモータなどの駆動源を使用して回転制御することにより所定の図柄を表示させるように構成されたものである。
【００６３】
そして、遊技機１０の機種変更時には、その遊技内容に応じて、例えば、ドットマトリクス式の図柄表示装置１８（図柄表示器Ｈ）から機械式（又は７セグメント式）の図柄表示装置に変更される場合がある。従って、このような場合には、各図柄表示装置１８（図柄表示器Ｈ）の構成及び制御態様が異なることから図柄表示器Ｈの種類が変更されたことになる。
【００６４】
また、それ以外の変更態様としては、例えば、同種のドットマトリクス式の図柄表示装置１８であっても、遊技機１０の機種変更時には、その遊技内容に応じて発光体Ｌの配列数（行×列）や配置する発光体Ｌの個数が変更される場合がある。より具体的に例示すれば、配列数については８行×８列の図柄表示器Ｈから８行×２４列の図柄表示器Ｈに変更する場合や、発光体Ｌの個数については６４個から１９２個に変更する場合などである。また、同様に、機械式、若しくは、７セグメントＬＥＤ式の図柄表示装置であっても、表示する図柄の列数に応じて図柄表示部や発光体の数を変更する場合がある。そして、これらの場合においても、各図柄表示装置１８（図柄表示器Ｈ）の構成及び制御態様が異なることから図柄表示器Ｈの種類が変更されたことになる。
【００６５】
そのため、本実施形態では、前述した図柄表示器Ｈの種類の変更態様に基づき、前記図柄基板２５側に配設する共通制御機器と図柄表示装置１８側に配設する専用制御機器とを区分けしている。
【００６６】
そして、前記図柄基板２５は、遊技機１０の機種変更時に交換の対象とならない非交換部位とされている。従って、前記図柄基板２５には、機種変更時において交換する必要がない機器、即ち、図柄表示器Ｈの種類に関係なく共通使用可能な前記共通制御機器を配設している。
【００６７】
なお、「非交換部位」とは、機種変更後の遊技機１０においてパチンコ遊技を行う上で何ら遊技に影響を与えない部位であり、前記遊技機１０の外観変更や破損などの特別な理由がない限り交換する必要のない部位である。因みに、遊技機１０の機種変更時においては、主に遊技盤１３、主基板２４などが交換の対象となる交換部位とされている。また、「共通制御機器」とは、遊技機１０の機種変更時に図柄表示器Ｈ（図柄表示装置１８）の種類が前述した変更態様に基づき変更された場合でも、交換することなく継続使用可能な交換不要機器である。又は、その機器自体に記憶保持されている前記図柄制御のための各種制御情報を書き換えることにより再使用可能な再使用機器である。
【００６８】
そして、図柄基板２５に配設された前記ＣＰＵ３０は、主基板２４からの制御信号を受けて、前記ＲＯＭ３２に記憶保持されている制御情報（各種制御プログラム）に基づき各種情報（ＦＬＭ信号やＳＩＤ信号を構成する情報など）を演算処理するようになっている。そのため、前記ＣＰＵ３０は、ＲＯＭ３２に記憶保持された制御情報が前記図柄表示器Ｈの種類に適合している場合に所定の演算処理を行うことができることから共通制御機器（交換不要機器）とすることができる。
【００６９】
また、前記入力ポート３１は、前記主基板２４と前記ＣＰＵ３０とを接続するための機器であることから共通制御機器（交換不要機器）とすることができる。さらに、前記シリアルポート３４は、前記図柄基板２５（ＣＰＵ３０）と前記図柄表示装置１８（保護機器３６）とを接続するための機器であることから共通制御機器（交換不要機器）とすることができる。即ち、前記入力ポート３１及びシリアルポート３４は、主基板２４とＣＰＵ３０、若しくは、ＣＰＵ３０と保護機器３６とを接続しており、前記図柄表示器Ｈの種類に関係なく使用することができる。
【００７０】
また、前記ＲＯＭ３２には、図柄表示器Ｈの種類に適合した制御情報（各種制御プログラムなど）が記憶保持されている。さらに、ＲＡＭ３３には、前記ＣＰＵ３０が演算処理した各種情報など、パチンコ遊技の進行に伴って適宜書き換えられる情報が記憶保持されている。しかしながら、前記ＲＯＭ３２やＲＡＭ３３は、図柄表示器Ｈの種類に応じて記憶保持される情報の内容が異なっているに過ぎず、その機器自体は前記図柄表示器Ｈの種類に関係なく使用できるようになっている。そのため、前記ＲＯＭ３２は、記憶保持する情報を前記図柄表示器Ｈの種類に適合するように書き換えることにより再使用することができる。また、前記ＲＡＭ３３は、記憶保持された情報を消去することにより再使用することができる。従って、前記ＲＯＭ３２やＲＡＭ３３は、図柄制御のための各種制御情報を書き換える（消去も含む）ことにより再使用可能な共通制御機器（再使用機器）とすることができる。
【００７１】
このように、前記ＣＰＵ３０、入力ポート３１、ＲＯＭ３２、ＲＡＭ３３及びシリアルポート３４は、図柄表示器Ｈの種類に関係なく共通使用可能であり、何れも非交換部位である前記図柄基板２５に配設することができる。従って、遊技機１０の機種変更時に前記図柄表示器Ｈの種類が変更された場合でも、図柄基板２５は変更後の図柄表示器Ｈを制御するために使用することができ、ゴミの現出を抑制することができる。
【００７２】
一方、図柄表示装置１８側には、図柄表示器Ｈの種類に応じて専用使用される専用制御機器が配設されている。
なお、「専用制御機器」とは、遊技機１０の機種変更時に図柄表示器Ｈ（図柄表示装置１８）の種類が前述した変更態様に基づき変更された場合、変更後の図柄表示器（図柄表示装置）の制御を実行するにあたって交換が必要とされる交換必要機器である。
【００７３】
そして、前記図柄表示装置１８に配設された前記第１の制御部３７及び第２の制御部３８は、図柄基板２５からの所定信号（ＦＬＭ信号、ＦＣＫ信号、ＳＩＤ信号、ＳＣＫ信号、ＤＬＴ信号、ＥＮＢ信号）を受けて図柄表示器Ｈを直接制御する機器となっている。例えば、ドットマトリクス式の図柄表示装置１８の場合、前記第１の制御部３７は図柄表示器Ｈを構成する行側に配置されている発光体Ｌを、第２の制御部３８は列側に配置されている発光体Ｌを制御するようになっている。これに対し、７セグメント式の図柄表示装置（例えば、図柄を３列表示するもの）の場合、第１の制御部３７は図柄制御が行われる図柄の列を特定する一方で、第２の制御部３８はその特定された列を構成する７個の発光体のうち点灯／非点灯させる発光体を特定するようになっている。そのため、遊技機１０の機種変更時にドットマトリクス式から７セグメント式の図柄表示装置１８（図柄表示器Ｈ）に変更された場合、前記第１，第２の制御部３７，３８は、その構成及び制御態様が異なることから交換が必要とされている。
【００７４】
また、同種のドットマトリクス式の図柄表示装置１８において、図柄表示器Ｈが８行×８列で構成されている場合、第１の制御部３７は８行の発光体Ｌの点灯／非点灯を、第２の制御部３８は８列の発光体Ｌの点灯／非点灯を制御するようになっている。これに対し、図柄表示器Ｈが５行×７列で構成されている場合、第１の制御部３７は５行の発光体Ｌの点灯／非点灯を、第２の制御部３８は７列の発光体Ｌの点灯／非点灯を制御するようになっている。そのため、遊技機１０の機種変更時に８行×８列から５行×７列の発光体Ｌからなるドットマトリクス式の図柄表示装置１８に変更された場合、前記第１，第２の制御部３７，３８は、その構成及び制御態様が異なることから交換が必要とされている。
【００７５】
従って、前記第１，第２の制御部３７，３８は、図柄表示器Ｈの種類が変更された場合、その変更後の図柄表示器Ｈに適合する制御部に変更する必要があることから専用制御機器（交換必要機器）とすることができる。なお、図柄表示装置１８側に配設されている保護機器３６、増幅機器３９などは、その機能上、図柄表示装置１８側に配設せざる得ない機器である。そして、これらの各機器３６，３９は、図柄表示器Ｈの種類に関係なく使用できる機器であり、専用制御機器には該当しない。
【００７６】
このように、前記第１の制御部３７及び第２の制御部３８は、図柄表示器Ｈに対して専用使用される機器であり、遊技機１０の機種変更時に図柄表示器Ｈと共に交換されるようになっている。従って、遊技機１０の機種変更時に前記図柄表示器Ｈの種類が変更された場合には、専用制御機器のみが廃棄処分されることになり、ゴミの現出を抑制することができる。
【００７７】
次に、前述のように構成された遊技機１０において、その機種変更時に図柄表示装置１８（図柄表示器Ｈ）の種類が変更される場合について図３及び図４に基づき説明する。なお、以下の説明では、ドットマトリクス式の図柄表示装置１８から機械式の図柄表示装置４０に変更される態様を説明する。また、図３及び図４において、同一の構成には同一の番号を付し、その重複する説明は省略する。
【００７８】
最初に、機械式の図柄表示装置４０について図４に基づき説明する。
前記図柄表示装置４０には、複数列（本実施形態では３列）の図柄を各列毎に表示する図柄表示器Ｈ’が備えられている。そして、前記図柄表示器Ｈ’には、その外周面に沿って図柄（数字図柄や文字図柄（又は絵図柄））が等間隔で順番に表示されたドラム式又はベルト式の第１〜第３の図柄表示部４１〜４３が備えられている。また、前記各図柄表示部４１〜４３には、当該各図柄表示部４１〜４３を各列別に回転駆動するための駆動部（モータ）Ｍ１〜Ｍ３が接続されている。
【００７９】
従って、このように構成された機械式の図柄表示装置４０では、前記各駆動部Ｍ１〜Ｍ３に対し図柄制御のための所定信号が伝送されると、当該信号に基づき前記各図柄表示部４１〜４３の制御（回転及び停止）が行われるようになっている。その結果、前記各図柄表示部４１〜４３は各列毎に所定の図柄を表示し、その図柄の組み合わせ態様から各種遊技状態を認識できるようになっている。
【００８０】
そして、機械式の図柄表示装置４０には、前記図柄基板２５のシリアルポート３４に対して前記信号線３５を介して接続される前記保護機器３６が設けられている。また、前記保護機器３６には、前記図柄表示器Ｈ’を構成する前記各図柄表示部４１〜４３及び各駆動部Ｍ１〜Ｍ３を制御するための第１の制御部（コモンドライバー）４４及び第２の制御部（コモンドライバー）４５が接続されている。そして、前記第１の制御部４４は、前記第１，第２の図柄表示部４１，４２及び第１，第２の駆動部Ｍ１，Ｍ２を制御するようになっている。一方、前記第２の制御部４５は、前記第３の図柄表示部４３及び第３の駆動部Ｍ３を制御するようになっている。
【００８１】
そして、前記第１，第２の制御部４４，４５は、前記図柄表示器Ｈ’に対し各々による制御対象が異なるように各別に接続されている。
なお、前述のように、「制御対象」とは、図柄表示器Ｈ’において前記各制御部４４，４５によって制御される対象（主体）となるものである。そして、機械式の図柄表示装置４０の場合、第１の制御部４４は第１，第２の図柄表示部４１，４２及び第１，第２の駆動部Ｍ１，Ｍ２というように複数の制御対象を有し、第２の制御部は第３の図柄表示部４３及び第３の駆動部Ｍ３を制御対象としている。即ち、前記第１の制御部４４及び第２の制御部４５は、同種の制御対象（図柄表示部と駆動部）を制御していることから同種の制御部（一種類の専用制御機器）として位置付けることができる。
【００８２】
また、前記第１の制御部４４は、第１の駆動部Ｍ１に対して電流を供給する各４つの位置（０度（＝３６０度）、９０度、１８０度、２７０度）を特定するための前記所定信号を伝送して制御している。そのため、前記第１の制御部４４と前記第１の駆動部Ｍ１は、４本の信号線ＭＴ１−１〜ＭＴ１−４によって接続されている。そして、前記第１の制御部４４は、前記所定信号を前記各信号線ＭＴ１−１〜ＭＴ１−４を通じて伝送し、前記第１の駆動部Ｍ１では該所定信号に基づき前記第１の図柄表示部４１を回転駆動させている。
【００８３】
また、前記第１の制御部４４は、第２の駆動部Ｍ２に対して前記第１の駆動部Ｍ１と同様に前記所定信号を伝送して制御している。そのため、前記第１の制御部４４と前記第２の駆動部Ｍ２は、４本の信号線ＭＴ２−１〜ＭＴ２−４によって接続されている。そして、前記第１の制御部４４は、前記所定信号を前記各信号線ＭＴ２−１〜ＭＴ２−４を通じて伝送し、前記第２の駆動部Ｍ２では該所定信号に基づき前記第２の図柄表示部４２を回転駆動させている。
【００８４】
また、前記第１の制御部４４と前記第１，第２の駆動部Ｍ１，Ｍ２との間であって、前記各信号線ＭＴ１−１〜ＭＴ１−４，ＭＴ２−１〜ＭＴ２−４には、前記増幅機器（トランジスタ）３９及びコネクタ４６が配設されている。
【００８５】
一方、前記第２の制御部４５は、第３の駆動部Ｍ３に対して前記第１の駆動部Ｍ１及び第２の駆動部Ｍ２と同様に前記所定信号を伝送して制御している。そのため、前記第２の制御部４５と前記第３の駆動部Ｍ３は、４本の信号線ＭＴ３−１〜ＭＴ３−４によって接続されている。そして、前記第２の制御部４５は、前記所定信号を前記各信号線ＭＴ３−１〜ＭＴ３−４を通じて伝送し、前記第３の駆動部Ｍ３ではその所定信号に基づき前記第３の図柄表示部４３を回転駆動させている。また、前記第２の制御部４５と前記第３の駆動部Ｍ３との間であって、前記各信号線ＭＴ３−１〜ＭＴ３−４には、前記増幅機器（トランジスタ）３９及びコネクタ４６が配設されている。
【００８６】
そして、このように構成された機械式の図柄表示装置４０は、前述した６本の信号線３５（ＦＬＭ用信号線、ＦＣＫ用信号線、ＳＩＤ用信号線、ＳＣＫ用信号、ＤＬＴ用信号線、ＥＮＢ用信号線）を介して前記図柄基板２５と接続されている。即ち、ドットマトリクス式の図柄表示装置１８を図柄基板２５に接続した時（図３）と同じ信号線３５を用いて接続することができる。また、前記図柄基板２５のＲＯＭ３２及びＲＡＭ３３は、記憶保持しているドットマトリクス式の図柄表示装置１８に適合する制御情報が機械式の図柄表示装置４０に適合する制御情報に書き換えられる。これにより、種類の異なる図柄表示装置１８，４０であっても図柄基板２５を交換することなく図柄制御を行うことができる。
【００８７】
なお、機械式の図柄表示装置４０に変更されると、前記ＣＰＵ３０から伝送される所定信号の内容が異なるため、それらの信号について以下に説明する。
まず、ＦＬＭ信号は、前記第１の制御部４４が、前記第１の図柄表示部４１及び第２の図柄表示部４２に表示する図柄に応じて、前記第１の駆動部Ｍ１及び第２の駆動部Ｍ２に対して回転制御を各別に指示するための情報から構成された信号となっている。即ち、前記ＦＬＭ信号は、第１の駆動部Ｍ１（第１の図柄表示部４１）の回転制御を指示する情報、第２の駆動部Ｍ２（第２の図柄表示部４２）の回転制御を指示する情報というように２個の情報から構成されており、これらの情報はＣＰＵ３０において演算処理されている。
【００８８】
そして、前記ＣＰＵ３０は、第１の駆動部Ｍ１に対する情報→第２の駆動部Ｍ２に対する情報という順番でＦＬＭ信号として前記ＦＬＭ用信号線を介して伝送するようになっている。また、前記第１の制御部４４は、入力した前記ＦＬＭ信号を構成する各情報のうち、第１の駆動部Ｍ１に対する情報を信号線ＭＴ１−１〜ＭＴ１−４を通じて第１の駆動部Ｍ１に伝送して制御を行うようになっている。また、前記第１の制御部４４は、入力した前記ＦＬＭ信号を構成する各情報のうち、第２の駆動部Ｍ２に対する情報を信号線ＭＴ２−１〜ＭＴ２−４を通じて第２の駆動部Ｍ２に伝送して制御を行うようになっている。
【００８９】
次に、ＦＣＫ信号は、前記第１の制御部４４に対し、前記ＣＰＵ３０がＦＬＭ用信号線を通じて伝送した前記ＦＬＭ信号の読込みを指示する情報から構成された信号となっている。即ち、この場合のＦＣＫ信号もＩＮＴ信号、若しくは、ストローブ信号に相当している。
【００９０】
また、前記ＣＰＵ３０は、前記ＦＬＭ信号の伝送タイミングに併せて、前記ＦＣＫ信号を第１の制御部４４に対して、前記ＦＣＫ用信号線を介して伝送するようになっている。そして、第１の制御部４４は、前記ＦＣＫ信号の入力により第１の駆動部Ｍ１及び第２の駆動部Ｍ２に対する情報を読込むようになっている。
【００９１】
また、ＳＩＤ信号は、前記第２の制御部４５が、前記第３の図柄表示部４３に表示する図柄に応じて、前記第３の駆動部Ｍ３に対して回転制御を指示するための情報から構成された信号となっている。即ち、前記ＳＩＤ信号は、第３の駆動部Ｍ３（第３の図柄表示部４３）の回転制御を指示する情報というように１個の情報から構成されており、この情報はＣＰＵ３０において演算処理されている。
【００９２】
そして、前記ＣＰＵ３０は、第３の駆動部Ｍ３に対する情報をＳＩＤ信号として前記ＳＩＤ用信号線を介して伝送するようになっている。その結果、前記第２の制御部４５は、入力した前記ＳＩＤ信号を構成する第３の駆動部Ｍ３に対する情報を信号線ＭＴ３−１〜ＭＴ３−４を通じて第３の駆動部Ｍ３に伝送して制御を行うようになっている。
【００９３】
次に、ＳＣＫ信号は、前記第２の制御部４５に対し、前記ＣＰＵ３０がＳＩＤ用信号線を通じて伝送した前記ＳＩＤ信号の読込みを指示する情報から構成された信号となっている。即ち、この場合のＳＣＫ信号もＩＮＴ信号、若しくは、ストローブ信号に相当している。
【００９４】
また、前記ＣＰＵ３０は、前記ＳＩＤ信号の伝送タイミングに併せて、前記ＳＣＫ信号を第２の制御部４５に対して、前記ＳＣＫ用信号線を介して伝送するようになっている。そして、第２の制御部４５は、前記ＳＣＫ信号の入力により第３の駆動部Ｍ３に対する情報を読込むようになっている。
【００９５】
次に、ＤＬＴ信号は、ＦＬＭ信号とＦＣＫ信号、及び、ＳＩＤ信号とＳＣＫ信号から得ることができる前記図柄表示器Ｈに対する図柄の表示態様を確定するための情報から構成された信号となっている。即ち、機械式の図柄表示装置４０の場合には、前記第１〜第３の図柄表示部４１〜４３に表示すべき図柄を確定するための信号であり、この場合のＤＬＴ信号もラッチ信号に相当している。そして、ＣＰＵ３０は、ＤＬＴ信号を、ＤＬＴ用信号線を介して前記第１，第２の制御部４４，４５に対して伝送するようになっている。
【００９６】
次に、ＥＮＢ信号は、前記図柄の表示態様に対応するＦＬＭ信号及びＳＩＤ信号を無効化するための情報から構成された信号となっている。即ち、機械式の図柄表示装置４０の場合には、前記ＤＬＴ信号によって確定された前記第１〜第３の図柄表示部４１〜４３に表示される図柄を無効化するための信号となっている。そして、前記ＥＮＢ信号は、ＥＮＢ用信号線を介して前記第１，第２の制御部４４，４５に対して各々伝送されるようになっている。従って、機械式の図柄表示装置１８の場合には、前記第１〜第３の図柄表示部４１〜４３の制御（回転及び停止）を速やかに行うことができる。
【００９７】
このように、前記ＣＰＵ３０は、ＲＯＭ３２の制御情報が機械式の図柄表示装置４０に適合する内容に書き換えられることにより、前記図柄表示装置４０の種類に適合した所定信号を演算処理している。その結果、遊技機１０の機種変更時に、ドットマトリクス式の図柄表示装置１８から機械式の図柄表示装置４０に変更された場合でも図柄基板２５を交換することなく継続して使用することができる。
【００９８】
従って、前記実施形態によれば、以下に示す効果を得ることができる。
（１）前記第１，第２の制御部３７，３８を図柄表示装置１８側に配設したことにより、図柄基板２５のＣＰＵ３０で演算処理された各種情報を所定信号として前記図柄表示装置１８に対してシリアル伝送することができる。即ち、前記図柄基板２５に配設された第１，第２の制御部３７，３８と図柄表示装置１８に配設された図柄表示器Ｈとを接続する場合（従来の技術）に比して、信号線３５の本数を削減することができる。例えば、ドットマトリクス式の図柄表示装置１８において８行×８列で発光体Ｌが配置されている場合、１６本→６本に信号線３５の本数を削減することができる。さらに、８行×２４列で発光体Ｌが配置されている場合、３２本→６本に信号線３５の本数を削減することができる。従って、遊技機１０の組み付けや機種変更に伴う作業性の向上、及び、遊技機１０のコスト削減に貢献することができる。また、信号線３５の削減により遊技機１０の機裏側のスペースを有効に活用することができる。さらに、信号線３５の本数が削減されることにより、メンテナンス性の向上に貢献することもできる。
【００９９】
（２）また、図柄表示器Ｈは、従来と同様に、第１の制御部３７及び第２の制御部３８によって制御されている。そのため、信号線３５の本数を削減しても従来と同様に高度な図柄制御を維持することができる。
【０１００】
（３）図柄基板２５側には共通制御機器を配設する一方で、図柄表示装置１８側には専用制御機器を配設している。そのため、遊技機１０の機種変更時、図柄表示器Ｈが変更された場合でも、図柄基板２５を交換することなく、図柄表示装置１８の交換のみで対応することができる。従って、遊技機１０の機種変更時にゴミの現出を抑制し、資源を有効に利用することができる。また、近時において広く叫ばれているゴミ処理問題の解決に貢献することができる。
【０１０１】
（４）図柄基板２５には、図柄表示器Ｈの種類に関係なく継続使用可能な機器、若しくは、図柄制御のための制御情報を書き換えることにより再使用可能な機器を配設している。そのため、遊技機１０の機種変更時、前記図柄基板２５を非交換部位として扱うことができる。従って、資源を有効に利用することができる。また、機種変更時に交換を必要とする部位を削減でき、機種変更に伴う作業性の向上や遊技機１０のコスト削減に貢献することができる。
【０１０２】
（５）図柄表示装置１８側には、図柄表示器Ｈに対して専用使用される機器を配設している。そのため、遊技機１０の機種変更時、従来のように図柄基板２５と図柄表示装置１８の何れも交換して廃棄処分する必要がなくなる。即ち、図柄表示装置１８のみを交換して廃棄処分すればよい。従って、機種変更に伴う作業性の向上や遊技機１０のコスト削減に貢献することができる。また、図柄表示装置１８側に専用制御機器をまとめて配設しているため、機種変更時に共通制御機器と専用制御機器を分別する必要がなく、機種変更に伴う作業性の向上や遊技機１０のコスト削減に貢献することができる。
【０１０３】
なお、前記実施形態は以下のように変更してもよい。
・前記実施形態では、前記図柄基板２５に共通制御機器としてＣＰＵ３０、入力ポート３１、ＲＯＭ３２、ＲＡＭ３３及びシリアルポート３４を、図柄表示装置１８に専用制御機器として第１，第２の制御部３７，３８を配設しているが、配設する機器は前記実施形態に限定されない。即ち、その他の機器を共通制御機器と専用制御機器に区分けして前記図柄基板２５側と図柄表示装置１８側に配設しても良い。
【０１０４】
・前記実施形態において、図柄基板２５に配設している前記ＲＯＭ３２は、遊技機１０の機種変更時、図柄基板２５に配設された状態で制御情報を書き換えても良いし、一旦取り外して制御情報を書き換えた後、再度図柄基板２５に配設しても良い。即ち、ＲＯＭ３２としてのハードウェア（物理的装置）自体を交換している訳ではなく、記憶保持している制御情報の内容を変更しているに過ぎない。
【０１０５】
・前記実施形態において、図柄表示装置１８側には複数の第１，第２の制御部３７，３８が配設されていても良い。例えば、８行×２４列の発光体Ｌからなるドットマトリクス式の図柄表示装置１８では第２の制御部３８を３つ備え、各制御部３８において各８列の発光体Ｌを制御しても良い。
【０１０６】
・前記実施形態においては、遊技機１０の機種変更時に図柄表示装置１８を廃棄処分しているが、その図柄表示装置１８を別の遊技機１０の機種変更時に再使用しても良い。即ち、前記実施形態においては、機種変更時に図柄表示器Ｈが変更された場合、当該表示器Ｈに応じて交換不要な機器を共通制御機器とし、交換必要な機器を専用制御機器としている。つまり、交換必要な機器とは、変更後の図柄表示器Ｈに対して使用することができない機器であり、必ずしも廃棄処分を必要とする機器を意味するものではない。このように図柄表示装置１８（専用制御機器）を再使用することで、ゴミの現出をさらに抑制することができる。
【０１０７】
・前記実施形態では、ドットマトリクス式を機械式の図柄表示装置４０に変更する場合を記載したが、ドットマトリクス式、７セグメント式、機械式の図柄表示装置１８（４０）においてどのような変更形態であっても前記実施形態と同様に適用することができる。
【０１０８】
・前記実施形態において、ＥＮＢ信号を伝送するためのＥＮＢ用信号線を省略しても良い。即ち、前記ＣＰＵ３０は、前記図柄表示装置１８に対しＦＬＭ信号、ＦＣＫ信号、ＳＩＤ信号、ＳＣＫ信号及びＤＬＴ信号の５種類の信号を伝送するように構成しても良い。このように構成すれば、ＥＮＢ用信号線を省略することができ、信号線３５の本数をさらに削減することができる。
【０１０９】
次に上記実施形態及び別例から把握できる技術的思想について、以下に追記する。
（イ）前記図柄制御基板は、遊技機における遊技状態を制御する主制御基板から受けた制御信号を前記図柄制御のための各種情報に演算処理し、当該情報を所定信号として伝送する。
【０１１０】
（ロ）前記専用制御機器は、前記図柄表示装置における表示機器の種類が変更された場合、変更後の図柄表示装置の制御を実行するにあたって交換が必要とされる交換必要機器である。
【０１１１】
（ハ）前記共通制御機器は、前記図柄制御のための各種情報を演算し所定信号として伝送処理する処理部及び前記各種情報を演算処理するための制御情報を記憶保持する記憶部を有する一方、前記各専用制御機器は、図柄が発光表示される表示機器の点灯／非点灯を制御する制御部である。
【０１１２】
（ニ）前記複数種類の専用制御機器を配設した図柄表示装置は、当該図柄表示装置を前記図柄制御基板に接続する際に使用する前記伝送線と同一の伝送線を使用して一種類の専用制御機器を配設した図柄表示装置と交換可能となっている。このよう構成すれば、ドットマトリクス式の図柄表示装置１８から機械式の図柄表示装置４０に変更された場合でも、同一の図柄基板２５に対して信号線３５に変更（例えば、本数の増減、種類の変更など）を加えることなく接続することができる。従って、組み付け性やコスト削減に貢献することができる。
【０１１３】
【発明の効果】
本発明によれば、高度な図柄制御を維持しつつ、図柄制御基板と図柄表示装置とを接続するための伝送線の本数を削減することにより組み付け性の向上やコスト削減に貢献することができる。
【図面の簡単な説明】
【図１】  パチンコ遊技機の外観を示す正面図。
【図２】  図柄表示器を示す正面図。
【図３】  ドットマトリクス式の図柄表示装置における主制御基板、図柄制御基板及び図柄表示装置の電気的構成を示すブロック図。
【図４】  機械式の図柄表示装置における主制御基板、図柄制御基板及び図柄表示装置の電気的構成を示すブロック図。
【図５】  従来における主制御基板、図柄制御基板及び図柄表示装置の電気的構成を示すブロック図。
【符号の説明】
Ｈ…図柄表示器（表示機器）、Ｌ…発光体（制御対象）、１０…パチンコ遊技機、１８…図柄表示装置（図柄表示手段）、２５…図柄制御基板（図柄制御手段）、３０…ＣＰＵ（共通制御機器、交換不要機器、処理部）、３１…入力ポート（共通制御機器、交換不要機器）、３２…ＲＯＭ（共通制御機器、再使用機器、記憶部）、３３…ＲＡＭ（共通制御機器、再使用機器、記憶部）、３４…シリアルポート（共通制御機器、交換不要機器、処理部）、３７…第１の制御部（専用制御機器、交換必要機器、制御部）、３５…信号線（伝送線，ＦＬＭ用／ＦＣＫ用／ＳＩＤ用／ＳＣＫ用／ＤＬＴ用／ＥＮＢ用信号線を備える。）、３８…第２の制御部（専用制御機器、交換必要機器、制御部）。
【図１】
0004540084.tif 000002
【図２】
0004540084.tif 000003
【図３】
0004540084.tif 000004
【図４】
0004540084.tif 000005
【図５】
0004540084.tif 000006